(57)【要約】【課題】非対称形状の上下ハーフを備えたカートリッジを収納でき、誤装填を検出できるケースを提供する。【解決手段】外ハーフ主面１０１に備えた傾斜突起部１１１に沿って、円弧状の面取りを有するカーとっじ前面４０４を当接した状態で収納され、内ハーフ主面２０１を矢印Ａ方向に摺動させることで、カートリッジ後面４０５が扉部２０９を開扉しながら後面４０５が突き出し、その後矢印Ｃ方向に内ハーフ主面２０１を戻すと、カートリッジ後面４０５が突出した状態で停止しているため、容易に取り出すことができると共に、扉部２０９を備えることでケース内部に収納した状態で埃等が付着することも避けられる。【選択図】図１
2005119669.tif 000002
【特許請求の範囲】
【請求項１】
外ハーフと前記外ハーフの内側に内包する内ハーフとを備え、前記外ハーフ及び前記内ハーフに外力を付与することで前記外ハーフの摺動部と前記内ハーフの摺動部とが前記外力の付与方向に摺動し、前記外ハーフ及び前記内ハーフの相対位置にずれを発生するケースであって、
前記外ハーフは、
略四角形の外径を有する外ハーフ主面、
前記外ハーフ主面を成す四辺の内、相対向する一対の辺からそれぞれ所定の高さだけ立設し、前記外ハーフ主面と対向する上面で摺動する外ハーフ上部摺動面を有する外ハーフ側壁、
前記一対の辺に直交する前記一方の辺からそれぞれ所定の幅の外ハーフ庇部を介し、前記一対の外ハーフ側壁から所定距離の間隙部をそれぞれ備え、前記外ハーフ主面から前記外ハーフ側壁よりも高さが低い高さで前記外ハーフ主面から立設する後突起部、
及び、
前記一方の辺と前記外ハーフ主面を介して対向する他方の辺側は開口部、
を備え、
前記内ハーフは、
前記外ハーフ主面と略合同形状で前記外ハーフ主面に対向する内ハーフ主面、
前記内ハーフ主面を成す四辺の内、相対向する一対の辺から一対の前記外ハーフ側壁の略肉厚の幅を有する一対の内ハーフ庇部を介し、前記内ハーフ主面に対し略平行な面の内ハーフ上部摺動面を一対有し、前記内ハーフ主面から前記内ハーフ上部摺動面までの高さが前記外ハーフ側壁の略高さで、前記内ハーフ主面から立設する一対の内ハーフ側壁、
前記一対の内ハーフ側壁の一方の端部それぞれを渡橋し、前記内ハーフ主面の前記一方の辺から前記内ハーフ側壁と略同一高さ立設する内ハーフ後壁、
前記内ハーフ後壁と前記内ハーフ主面を介して対向し、前記内ハーフ側壁と略同一高さで前記内ハーフ主面から立設する扉前壁と、前記内ハーフ側壁の略延長線上で、前記扉前壁と前記内ハーフ主面とに係合する斜辺を有する一対の扉側壁とを備える扉部、
及び、
前記斜辺と前記内ハーフ主面との係合箇所と、前記内ハーフ後壁が係合する前記内ハーフ側壁の前記一方の端部以外の他方の端部それぞれとの間に、前記扉部が回動する回動軸を備えたヒンジ部、
を備え、
前記外ハーフ主面には、
一対の前記外ハーフ側壁から前記内ハーフ側壁の略肉厚だけ離隔し、前記外ハーフ側壁に並んで設けたそれぞれ複数の外ハーフ主面リブと、
一対の前記外ハーフ側壁の間隔の中心線を対称軸とし、前記外ハーフ後突起部から前記開口部の方向に拡大する傾斜突起部と、
を備え、
前記外ハーフ側壁には、
前記外ハーフ主面側に立設する複数の外ハーフ側壁リブ
をそれぞれ備え、
前記内ハーフ庇部には、前記内ハーフ側壁に対向する前記内ハーフ庇部端辺に、前記内ハーフ主面から立設し、前記内ハーフ主面に対向する上部摺動面を有する内ハーフ庇リブを備え、
前記内ハーフ側壁は、
前記内ハーフ主面からの立設距離が前記内ハーフ上部摺動面よりも低く、前記内ハーフ主面と平行な内ハーフ側壁平坦面を有する内ハーフ低側壁部と、
前記内ハーフ庇部側に突出すると共に前記内ハーフ上部摺動面となる複数の内ハーフ側壁リブと
で構成され、
前記外ハーフ側壁リブの前記外ハーフ主面側の端面と前記内ハーフ側壁リブの前記内ハーフ主面側の端面との摺動係合、前記外ハーフ主面リブの前記外ハーフ主面に対向する外ハーフ主面リブ上端面と前記内ハーフ側壁平坦面との摺動係合、または、前記内ハーフ庇リブの前記上部摺動面と前記外ハーフ上部摺動面との摺動係合の何れかで前記外ハーフと前記内ハーフとの相対位置が変化する構造を有するケース。
【請求項２】
前記外ハーフ主面上に、前記外ハーフ側壁に対し平行に前記後突起部から前記扉部側に延びる複数の第２の外ハーフ主面リブを備え、前記内ハーフ主面上に、前記内ハーフ側壁に対し平行に前記内ハーフ後壁から開口部側に延びる第２の内ハーフ主面リブを備えることを特徴とする請求項１記載のケース。
【請求項３】
前記一対の内ハーフ側壁の中心線近傍であって、前記内ハーフ後壁近傍の前記内ハーフ主面リブを備える箇所に、前記内ハーフ主面リブの前記内ハーフ主面からの高さ以上の突出高さを有する内ハーフ主面突起部を備えることを特徴とする請求項２記載のケース。
【請求項４】
前記内ハーフ側壁の前記内ハーフ主面からの高さ方向の略中央部で、前記内ハーフ側壁の前記内ハーフ後壁及びヒンジ部間の略中央部に、前記外ハーフの摺動を規制する付勢力を前記外ハーフ側壁に付与する摺動付勢部を二箇所ずつ備えることを特徴とする請求項１記載のケース。
【請求項５】
前記摺動付勢部が前記付勢力を及ぼす前記外ハーフに備える摺動停止部は、前記外ハーフ側壁リブよりも前記外ハーフ主面側に突出し、前記外ハーフ主面への投影図は前記後突起部側に面取り斜面を有する五角形形状で、前記外ハーフ側壁への投影図は中空の四角形状であることを特徴とする請求項４記載のケース。
【請求項６】
前記内ハーフ側壁のヒンジ部近傍に、前記内ハーフ主面からの距離が前記外ハーフ主面からの距離より短い、相対向する前記内ハーフ側壁側に突出する凸形状のバネ部を備えることを特徴とする請求項１記載のケース。
【請求項７】
前記開口部側の前記外ハーフ主面を形成する辺の中心線に関して略対称に、第３の外ハーフ主面リブを備えることを特徴とする請求項１記載のケース。
【請求項８】
前記扉前壁は、前記内ハーフ後壁からの距離が短い扉凹壁と、前記距離が長い扉凸壁とが仕切線を介して連続して備えられ、前記扉凹壁の中心線に関して略対称の位置に前記内ハーフ後壁の方向に突出する扉突起部を備えることを特徴とする請求項１記載のケース。
【発明の詳細な説明】
【技術分野】
【０００１】
本発明は、所定の間隙を介して相対向する上面と下面との外形の一辺が面取りを形成、または相対向する一対の辺それぞれに異なる面取りを形成した箱体を収納するケースに関する。
【背景技術】
【０００２】
ディジタル機器の進展に伴い、コンピュータのデータやプログラム、音声データのディジタル録音、映像音声信号のディジタル録画等、大容量の情報信号を扱う記録メディアの開発が進んでいる。記録容量の大容量化に対して、光照射による磁気特性の変化を応用したいわゆるＭＯディスクと称される光磁気記録媒体、色素を主体とした情報層に光を照射することで情報層の形状を変化させるいわゆるＣＤ−Ｒ、ＤＶＤ−ＲまたはＤＶＤ＋Ｒと称される追記型光記録媒体、相変化を生起する無機材料を主体とした情報層に光を照射して可逆的に情報信号を記録するいわゆるＰＤ、ＣＤ−ＲＷ、ＤＶＤ−ＲＷ、ＤＶＤ＋ＲＷまたはＤＶＤ−ＲＡＭと称される書換可能型光記録媒体、近年ではＤＶＤ−Ｒ、ＤＶＤ＋Ｒ、ＤＶＤ−ＲＷ、ＤＶＤ＋ＲＷ及びＤＶＤ−ＲＡＭ（以下、これらを記録型ＤＶＤと総称する）の５倍以上も記録密度が高い青色レーザを適用したＢＤと称される高密度光記録媒体も開発されている。
【０００３】
このような記録型ＤＶＤでは、記録特性を維持するため記録型ＤＶＤをカートリッジに収納したカートリッジ型が適用され、例えばＤＶＤ−Ｒ、ＤＶＤ−ＲＷ、及びＤＶＤ−ＲＡＭ規格ではカートリッジを規定している。図１２は、記録型ＤＶＤ規格に規定されているカートリッジ３００の概要を示す平面図で、カートリッジ３００は略長方形形状を有する上ハーフ及び下ハーフとの間に、記録型ＤＶＤ３０１を収納するディスク収納部と、収納した記録型ＤＶＤ３０１の一部を露出する窓部を開閉するシャッタ３０２とを備え、シャッタ３０２はシャッター摺動面３０３を摺動することで窓部を開閉する。なお、図示したカートリッジ３００は両面タイプの記録型ＤＶＤに対応するため、表裏検出孔３０４は貫通孔の例を示しているが、記録型ＤＶＤ３０１が片面にのみ情報層を備える場合には、表裏検出孔３０４は非貫通である。カートリッジ３００に収納すると、記録型ＤＶＤ３０１の情報層を直接人が手に触れることは抑制できるため好ましいが、不用意にシャッタ３０２を開放し記録型ＤＶＤ３０１を手に触れる、外気中の埃が付着する等の可能性を避けるため、カートリッジ収納ケースも各種提案されている。
【０００４】
カートリッジ収納ケースとしては、特許文献１が知られている。特許文献１には、収納するカートリッジのグリッパスロットに係合する一対のバネ機構、一対の下函側ロック機構、及び一対の下函側ストッパを有する一対の側壁と、後側壁とをからなる下函と、下函側ロック機構に係合する一対の蓋側閉位置ロック機構と下函ストッパに係合する蓋側ストッパーとを有する一対の蓋側壁と、後側壁側に掻き出し板を備える後部覆い板とからなる蓋とを具備し、当該下函と蓋とを係合させ、蓋を下函の側壁に対して摺動することにより、カートリッジを蓋と共にスライドさせ、その後蓋を元の位置に摺動させるとカートリッジがケースから所定量突出することができ、この突出分でカートリッジを引き抜く収納ケースが開示されている。
【特許文献１】特開平９−２０２３８０号公報（段落番号０００６〜同０００９、図１）
【発明の開示】
【発明が解決しようとする課題】
【０００５】
特許文献１には、一対のバネ機構がカートリッジのグリッパスロットに係合するため、収納ケースからカートリッジの不用意な排出を抑制し、片手でカートリッジの挿脱を可能とする効果はあるものの、カートリッジを挿脱する挿脱口から埃等が入り込み、カートリッジ表面を汚染し、カートリッジ表面に付着した埃等がカートリッジに収納している記録型ＤＶＤに付着する危惧がある。
【０００６】
また、そもそも特許文献１は、図１２に示したような上下ハーフの主面の外形形状が略長方形のフロッピー（Ｒ）ディスクまたはＭＯカートリッジを収納対象としているため、横方向に挿入する際には縦方向の挿脱に合わせた挿脱口から長辺分がはみ出すため、横方向に対する誤挿入は防止できるが、前後方向及び表裏方向の誤挿入に対しては何の手だてもされてはいなく、その上グリッパストッパに係合するバネ機構も必須要件としていないため、収納ケースから抜き出したカートリッジの方向に対しては保証はされないという課題がある。
【０００７】
また、前述したＢＤが最近開発され、ＢＤの情報層側の基板厚みを０．１ｍｍとし波長の短い青色レーザを照射することで１層当たり２５Ｇバイト前後の高密度化を達成している。このＢＤにも記録型ＤＶＤと同様にカートリッジが提案されているが、ＢＤカートリッジは記録型ＤＶＤカートリッジやＭＯカートリッジとは外形が異なる形状が提案されている。すなわち、図１０に示すように、ＢＤカートリッジ４００の上ハーフ４０１及び下ハーフ４０２のＢＤ４０３に平行な主面の外形は基本的に正方形で、一つの辺は円弧状の面取りが施された前面４０４と、前面４０４に対向する後面４０５は略直線状の２辺４０６が連接した面取りを施され、前面４０４と後面４０５とは直線状の一対の側面を有し、下ハーフ４０２の当該面取り部中央にＢＤの一部を露出する窓部を開閉するシャッタ４０４を備え、シャッタ４０４は図１１に示すように一方の側面４１０にシャッター開閉部４０８と不図示の記録再生装置に備えるシャッターオープナとが係合することで回動しながらシャッタ４０７は開閉する。なお、ＢＤカートリッジ４００に収納するＢＤ４０３は、０．１ｍｍの基板厚の方からのみ光照射する片側タイプであるため、ＢＤカートリッジ４００に備える表裏検出孔４０９は非貫通であり上ハーフ４０１の最表面は検出孔は無い。特許文献１に開示のケースでは、このように例えば面取り形状が異なる非対称な上下ハーフ４０１及び４０２を備えるカートリッジ４００をケースに対して収納する方向を規制できないと言う課題もある。
【０００８】
そこで、本発明は係る従来の課題に鑑み、ケースの挿脱口から収納された収納物に埃等の異物が付着することが無く、しかも収納物の収納方向を規制できるケースを提供することを目的とする。
【課題を解決するための手段】
【０００９】
本発明は、係る従来の課題に鑑みなされたもので、外ハーフと前記外ハーフの内側に内包する内ハーフとを備え、前記外ハーフ及び前記内ハーフに外力を付与することで前記外ハーフの摺動部と前記内ハーフの摺動部とが前記外力の付与方向に摺動し、前記外ハーフ及び前記内ハーフの相対位置にずれを発生するケースであって、前記外ハーフは、略四角形の外径を有する外ハーフ主面、前記外ハーフ主面を成す四辺の内、相対向する一対の辺からそれぞれ所定の高さだけ立設し、前記外ハーフ主面と対向する上面で摺動する外ハーフ上部摺動面を有する外ハーフ側壁、前記一対の辺に直交する前記一方の辺からそれぞれ所定の幅の外ハーフ庇部を介し、前記一対の外ハーフ側壁から所定距離の間隙部をそれぞれ備え、前記外ハーフ主面から前記外ハーフ側壁よりも高さが低い高さで前記外ハーフ主面から立設する後突起部、及び、前記一方の辺と前記外ハーフ主面を介して対向する他方の辺側は開口部を備え、前記内ハーフは、前記外ハーフ主面と略合同形状で前記外ハーフ主面に対向する内ハーフ主面、前記内ハーフ主面を成す四辺の内、相対向する一対の辺から一対の前記外ハーフ側壁の略肉厚の幅を有する一対の内ハーフ庇部を介し、前記内ハーフ主面に対し略平行な面の内ハーフ上部摺動面を一対有し、前記内ハーフ主面から前記内ハーフ上部摺動面までの高さが前記外ハーフ側壁の略高さで、前記内ハーフ主面から立設する一対の内ハーフ側壁、前記一対の内ハーフ側壁の一方の端部それぞれを渡橋し、前記内ハーフ主面の前記一方の辺から前記内ハーフ側壁と略同一高さ立設する内ハーフ後壁、前記内ハーフ後壁と前記内ハーフ主面を介して対向し、前記内ハーフ側壁と略同一高さで前記内ハーフ主面から立設する扉前壁と、前記内ハーフ側壁の略延長線上で、前記扉前壁と前記内ハーフ主面とに係合する斜辺を有する一対の扉側壁とを備える扉部、及び、前記斜辺と前記内ハーフ主面との係合箇所と、前記内ハーフ後壁が係合する前記内ハーフ側壁の前記一方の端部以外の他方の端部それぞれとの間に、前記扉部が回動する回動軸を備えたヒンジ部を備え、前記外ハーフ主面には、一対の前記外ハーフ側壁から前記内ハーフ側壁の略肉厚だけ離隔し、前記外ハーフ側壁に並んで設けたそれぞれ複数の外ハーフ主面リブと、一対の前記外ハーフ側壁の間隔の中心線を対称軸とし、前記外ハーフ後突起部から前記開口部の方向に拡大する傾斜突起部とを備え、前記外ハーフ側壁には、前記外ハーフ主面側に立設する複数の外ハーフ側壁リブをそれぞれ備え、前記内ハーフ庇部には、前記内ハーフ側壁に対向する前記内ハーフ庇部端辺に、前記内ハーフ主面から立設し、前記内ハーフ主面に対向する上部摺動面を有する内ハーフ庇リブを備え、前記内ハーフ側壁は、前記内ハーフ主面からの立設距離が前記内ハーフ上部摺動面よりも低く、前記内ハーフ主面と平行な内ハーフ側壁平坦面を有する内ハーフ低側壁部と、前記内ハーフ庇部側に突出すると共に前記内ハーフ上部摺動面となる複数の内ハーフ側壁リブとで構成され、前記外ハーフ側壁リブの前記外ハーフ主面側の端面と前記内ハーフ側壁リブの前記内ハーフ主面側の端面との摺動係合、前記外ハーフ主面リブの前記外ハーフ主面に対向する外ハーフ主面リブ上端面と前記内ハーフ側壁平坦面との摺動係合、または、前記内ハーフ庇リブの前記上部摺動面と前記外ハーフ上部摺動面との摺動係合の何れかで前記外ハーフと前記内ハーフとの相対位置が変化する構造を有する。
【発明の効果】
【００１０】
非対称の面取りを施した収納物品の一方の面取り形状に適合した傾斜を有する傾斜突起部の構成と、内ハーフに備える扉部とを有するため、収納物品の本発明のケースに対する収納方向を択一的に決定することができ、外ハーフと内ハーフとを摺動させることで当該収納物品の取り出し方向も択一的に決定することができ、操作性の向上のみならず、正常方向に収納しさえすればケースに収納した状態で持ち運びする際に埃等の付着を抑制できる効果がある。
【００１１】
また、摺動係合部は、側壁リブどうし、または、側壁リブと側壁上部面とであるため、摺動摩擦力を少なくすることができ、収納物品の取り出し及び／または収納に対する余分な力を必要としないため、ケースの係合機構に無理な力を加えることで磨耗等を抑制できる。
【００１２】
さらに、内ハーフ主面リブ及び第２の外ハーフ主面リブが、収納物品の上下方向に対する摩擦力を低減しながら上下方向に付勢するため、ケース内で収納物品が揺動することが無く、持ち運び等の際に収納物品がケースの中で騒音や、壁面に当接することで収納物品に損傷を発生することがない。
【００１３】
また、表裏検出孔を備える収納物品の場合には、当該表裏検出孔の上下方向の高さに合致したバネ部を備えるため、表裏の誤収納も検出することができ、例えば収納物品がディスクを収容したカートリッジの場合にはケースから取り出した際に記録再生装置への装着方向に対する誤装填も抑制することができる。
【００１４】
また、内ハーフ主面リブよりも内ハーフ主面からの突出量が大きい内ハーフ突起部を備える構成を、例えばブルーレーザ対応の記録型情報媒体を収容したカートリッジの収納に適用すると、内ハーフ突起部の内ハーフ主面リブからの突出量をシャッターの厚み程度に設定すると、収納方向をより正確に規定できると共に、表裏誤収納の検出精度も向上できる。
【発明を実施するための最良の形態】
【００１５】
本発明のケースに係る一実施形態を、図面を参照して説明する。図２は、本発明のケースの外ハーフ１００の平面図であり、外ハーフ主面１０１の外形形状は四角形であるが、図のように基本的には正方形形状の方が、以下述べる本発明の特徴点が際だつため好ましい。外ハーフ主面１０１を構成する四辺の内、互いに対向する一対の辺の一方は当該辺から立設する外ハーフ側壁１０２を一対備える。外ハーフ側壁１０２の細部構成は、図３に示したように、外ハーフ側壁リブ１０３が相対する外ハーフ側壁１０２の方に立設している（図では、一方の外ハーフ側壁１０２上に、外ハーフ主面１０１に対して平行に５個備えた例を示している）。この外ハーフ側壁リブ１０３の外ハーフ主面１０１側平面の外ハーフ主面側端面１０４は、後述の内ハーフ側壁リブ２０５の内ハーフ主面側平面と摺動係合し、外ハーフ側壁１０２の外ハーフ主面１０１と平行な面の外ハーフ上部摺動面１０５は、後述の内ハーフ庇リブ２１７に対し摺動係合する。
【００１６】
外ハーフ側壁１０２が立設する外ハーフ主面１０１の辺を結ぶ一方の辺から、後述する内ハーフ後壁２０８の略肉厚の間隙を有する外ハーフ庇部１０６を介して、かつ一対の外ハーフ側壁１０２とそれぞれ間隙部１０７を介在させ、後突起部１０８が外ハーフ主面１０１から立設する。なお、外ハーフ側壁１０２が立設する外ハーフ主面１０１の辺を結ぶ他方の辺は、収納物品を挿脱する開口部１０９である。
【００１７】
外ハーフ主面１０１には、外ハーフ側壁１０２の近傍で、後述の内ハーフ側壁２０３の内ハーフ低側壁部と摺動係合する外ハーフ主面リブ１１０をそれぞれ複数（図では、４個ずつ）備え、一対の外ハーフ側壁１０２の中心線を略対称軸として後突起部１０８から開口部１０９の方向に拡大する傾斜突起部１１１を一対備える。この傾斜突起部１１１の傾斜は、ケースに収納する収納物品（本実施形態では図１０及び図１１に示したＢＤカートリッジ４００を例としているので、本実施形態では前面４０４）の面取り形状に応じて決定すればよい。また、傾斜突起部１１１の立設高さは、ＢＤカートリッジ４００の高さに応じて適宜決定されるが、本実施形態では後述する内ハーフ主面２０１に傾斜突起部１１１の先端部が接触しないように、ＢＤカートリッジ４００の厚さ未満としている。
【００１８】
また、外ハーフ側壁１０２には、外ハーフ側壁リブ１０３と外ハーフ上部摺動面１１６との間に、後述する摺動付勢部２１８に付勢係合する摺動係止部１１２をそれぞれ１つずつ備える。摺動係止部１１２は、図２に示すように内ハーフ側壁リブ１０３よりも内ハーフ側壁１０３からの突出量が大きく、内ハーフ主面１０１への投影図は後突起部１０７側に傾斜面を有する五角形形状で、その内ハーフ側壁１０２への投影図は図３のように中空の四角柱形状である。この中空の四角柱形状が摺動付勢部２０８の凸部に係合することで摺動位置を確認でき、五角形の形状がＢＤカートリッジ４００の排出方向を規定することができ、また外ハーフ１００と内ハーフ２００とのずれを元に戻しＢＤカートリッジ４００をケースから引き抜く際等の戻し力を弱めることができる。
【００１９】
外ハーフ主面１０１には後突起部１０７に連接して外ハーフ主面リブ１１３を複数備えると、ＢＤカートリッジ４００の上ハーフ４０１または下ハーフ４０２を押圧することで上下に適度な付勢力を付与でき、収納物品がケース内部で揺動することを防止できる。また、開口部１０９側にも第２の外ハーフ主面リブ１１４を備える構成は、特にＢＤカートリッジ４００の後面４０５に連接する２辺４０６と当該後面４０５との間に備えた割り込みに係合するため、ケース内での位置決めがより正確に規定できる。
【００２０】
開口部１０９の近傍には、後述する扉係止凸部２２０が係合する扉係止凹部を備える構成を採用すると、後述の扉部２０９の閉扉が確実にできるため好ましい。
【００２１】
次に、内ハーフ２００の構成について説明する。内ハーフ２００の内ハーフ主面２０１は外ハーフ１０１と略同一形状を有し、内ハーフ主面２０１を形成する４辺の内互いに対向する一対の辺から外ハーフ側壁１０２の略肉厚だけの庇部２０２を介して、外ハーフ側壁２０３を一対備える。
【００２２】
内ハーフ側壁２０３の詳細構成は、外側から視認した側面図の図６及び内側から視認した図７から分かるように、内ハーフ主面２０１から立設する内ハーフ低側壁部２０４と、内ハーフ低側壁部２０４からその厚み分だけ内ハーフ庇部２０２の方に突出した内ハーフ側壁リブ２０５とで構成される。内ハーフ低側壁部２０４の内ハーフ主面２０１に対向する内ハーフ側壁平坦部２０６は、外ハーフ側壁上部摺動面１１６と摺動係合し、内ハーフ側壁リブ２０５の内ハーフ主面２０１に対向する内ハーフ上部摺動面２０７は、外ハーフ側壁主面側壁面１０４と摺動係合する構成である。従って、内ハーフ側壁リブ２０５の内ハーフ低側壁部２０４からの突出量は、略外ハーフ側壁リブ１０３の厚みである。なお、内ハーフ庇部２０２の外側の辺から複数の内ハーフ庇リブ２１７がそれぞれ一対備え、内ハーフ庇リブ２１７の内ハーフ主面２０１に対し平行な面は、外ハーフ側壁１０２の外ハーフ上部摺動面１１６と摺動係合する。以上の３つの少なくとも何れかが摺動係合することにより、外ハーフ１００と内ハーフ２００とが外ハーフ主面１０１及び内ハーフ主面２０１の一方の方向に摺動往復させることができ、ＢＤカートリッジ４００を開口部１０９側から把持しケースから抜き取り、また開口部１０９からＢＤカートリッジ４００を装着することができる。
【００２３】
内ハーフ側壁２０３の一方の端部は、内ハーフ主面２０１を構成する外辺から立設する内ハーフ後壁２０８を渡橋するように構成され、内ハーフ後壁２０８と内ハーフ主面２０１を介して対向する他方の端部には、前述の開口部１０９の外ハーフ主面１０１に係合し当該開口部１０９を塞ぐ扉部２０９を備える。扉部２０９の詳細構成は、図８に示したように扉凸壁２１０から仕切線２１１を介して扉凹壁２１２が連接している。また、扉部２０９は、内ハーフ側壁２０３と扉凹壁２１２及び扉凸壁２１０との間に扉部２０９を回動させる回動軸２１３を備えたヒンジ部２１４を介在させ、扉凸壁２１０及び内ハーフ主面２０１とを斜辺２１６で略台形形状の扉側壁２１５が設けられている。なお、扉凹壁２１２の内ハーフ主面２０１と対向する面には、前述の扉係止凹部１１５と係合する扉係止凸部２２０を備え、閉扉状態を確実にした構成が好ましい。
【００２４】
なお、内ハーフ側壁２０３の内側には、内ハーフ低側壁部２０４の一部を板バネ状にした摺動付勢部２１８を内ハーフ低側壁部２０４の略中央部に備え、前述したように外ハーフ側壁１０２に備える摺動停止部１１２に対し付勢力を付与すると共に、外ハーフ１００と内ハーフ２００との集合範囲を規制する。さらに、内ハーフ低側壁部２０４の便治部２１４近傍には、内部に凸部を備えたバネ部２１９を備え、当該バネ部２１９はＢＤカートリッジ４００の表裏検出孔４０９に対し付勢係合する。このバネ部２１９の内ハーフ主面２０１側の端と内ハーフ主面２０１との距離を、バネ部２１９の外ハーフ主面１０１側の端と外ハーフ主面１０１との距離よりも狭くする構成を採用すると、ケースに対するＢＤカートリッジ４００の前面４０４を傾斜突起部１１１側に挿入した場合でも、バネ部２１９と表裏検出孔４０９との係合に応じて、ＢＤカートリッジ４００の表裏を挿入する際の摺動摩擦力の差で検出できるため好ましい。
【００２５】
また、図７に示したように、扉側壁突出部２２４と図３に示した扉係合凹部１１９とを備えると、扉部２０９が閉扉状態では扉側壁突出部２２４が扉係合凹部１１９の内壁で係合し、扉部２０９が開扉状態では扉側壁２２４が扉係合凹部１１９が形成する空間を遊挿するため、扉部２０９の開閉状態がさらに確実になるため好ましい。なお、外ハーフ側壁１０２に第２の外ハーフ側壁リブ１１８を、外ハーフ上部摺動面１１６と略面一に設けると、扉側壁２１５の斜辺２１６が第２の外ハーフ側壁リブ１１８に沿って開扉するため、飛ぶラブ２０９の開扉状態を確実化することができる。
【００２６】
また、内ハーフ主面２０１の内ハーフ後壁２０８から連接する内ハーフ主面リブ２２２を備えると、ＢＤカートリッジ４００の下ハーフ４０２及び／または上ハーフ４０１を押圧できるため、ケース内部でのＢＤカートリッジの揺動を抑制することができる。また、当該内ハーフ主面リブ２２２の内ハーフ主面２０１からの高さより突出する内ハーフ主面突起部２２３を、内ハーフ後壁２０８の略中央部近傍に備えると、特にＢＤカートリッジのシャッタ４０７を選択的に位置決めすることができるため、ＢＤカートリッジ４００を安定的に収納することができると共に、ＢＤカートリッジ４００のケースに対する向き及び／または表裏の方向に対する検知精度も向上できる。当該内ハーフ主面突起部２２３の内ハーフ主面リブ２２２からの突出量は、ＢＤカートリッジ４００のシャッタ４０７の厚み以下に設定すると良い。さらに、内ハーフ主面突起部２２３を備える構成の場合には、後突起部１０７の中央部の内ハーフ主面２０１側に、当該内ハーフ主面突起部２２３の幅及び突出高さを避ける切取部１１７を備えると、後突起部１０７の摺動の際に内ハーフ主面突出部２２３が当接することがないため好ましい。
【００２７】
次に、本発明のケースの動作について図面を参照しながら説明する。図１は、本発明のケースにＢＤカートリッジ４００を挿脱する場合の動作を説明する図である。先ず、同図（ａ）に示すようにＢＤカートリッジが収納されて状態から、矢印Ａ方向に摺動力を付与すると、同図（ｂ）に示すようにＢＤカートリッジ４００の前面４０４が傾斜突起部１１１の面に当接しながら内ハーフ２００と共にＢＤカートリッジ４００も矢印Ａ方向に摺動し、扉部２０９は矢印Ｂ方向に開扉する。摺動停止部１１２が摺動付勢部２１８の扉部２０９側に付勢部に係合することで、前述したように摺動を停止する。次に、同図（ｃ）に示すように、内ハーフ２００を外ハーフ１００の矢印Ｃ方向に摺動させ戻すと、外ハーフ主面リブ１０３のみがＢＤカートリッジ４００に対して押圧しているが、内ハーフ主面リブ２２２及び外ハーフ主面リブ１０３十でＢＤカートリッジ４００を押圧している場合と比べると押圧力は弱化しているため、内ハーフ２００のみが摺動し、ＢＤカートリッジ４００は後面４０５を開口部１０９から突き出した状態で停止し、ＢＤカートリッジ４００を後面４０５側の表裏を把持することでケースから抜き取ることができる。なお、開口部１０９からの突き出し量は、ＢＤカートリッジ４００のＢＤ４０３露出凹部近傍までとすると、ケースからの挿抜に際してＢＤ４０３を手で触れることを抑制できる。また、ケースにＢＤを収容する際には、同図（ａ）の状態から（ｂ）の状態で扉部２０９を開扉させた後、矢印Ｃの方向に内ハーフ１００を戻し、扉部２０９が開扉状態でＢＤカートリッジ４００をケース内部に挿入することで簡単に装填できる。
【００２８】
次に、本発明のケースに対しＢＤカートリッジ４００の誤装填検出について図を参照して説明する。図９は、ＢＤカートリッジ４００をケースに対して装填するときの状態を示している。同図（ａ）は傾斜突起部１１１の方を前面４０４とした正常の装填状態であるため、カートリッジ４００はケース内部に収納されたことを扉部２０９の閉扉状態で確認することができる。同図（ｂ）は、後面４０５を傾斜突起部１１１の方向にした逆方向の装填である。この場合には、後面４０５と２辺４０６との成す角度が、前面４０４の成す面取りとは形状が異なるため、傾斜突起部１１１に面状に沿うことができないため、ＢＤカートリッジ４００は傾斜突起部１１１の途中に当接し、ＢＤカートリッジ４００の装填を妨げる結果、扉部２０９を閉扉することができず誤装填が検出できる。同図（ｃ）は側面４１０を傾斜突起部１１１側に、また（ｄ）は逆に側面４１１を傾斜突起部１１１側に装填した場合である。（ｃ）の場合も反対側では（ｄ）の場合のように傾斜突起部１１１の途中で側面４１１が当接するため、扉部２０９を閉扉することができないため、誤装填であることが検出することができる。
【００２９】
以上説明したように、本発明のケースを用いると、ＢＤカートリッジを後面からカートリッジの上下面を把持し取り出すことができるため、装置への装着状態でケースから取り出すことができ、操作者の手間を軽減できると共に、ケースに収納した状態で扉を閉扉状態にすることができるため、埃等が付着することがない。
【産業上の利用可能性】
【００３０】
本発明のケースは、相対向する面に異なる面取りを施された収納物品を、一方の面取りに合わせた傾斜突起部を備えることで、当該収納物品を精度良く収納できるケースで、多様化するディスクカートリッジを収納するケース等に応用できる。
【図面の簡単な説明】
【００３１】
【図１】（ａ）は本発明の一実施形態の収納状態を示す要部断面図、（ｂ）は同実施形態のずらした状態を示す要部断面図、（ｃ）は同実施形態の取り出し状態を示す要部断面図
【図２】本発明の一実施形態の外ハーフの構成を示す平面図
【図３】同実施形態の外ハーフの側面図
【図４】同実施形態の外ハーフの側面図
【図５】同実施形態の内ハーフの構成を示す平面図
【図６】同実施形態の内ハーフの構成を示す側面図
【図７】同実施形態の内ハーフの構成を示す側面図
【図８】同実施形態の内ハーフの構成を示す側面図
【図９】（ａ）は本発明の一実施形態の収納状態を示す側断面図、（ｂ）は同実施形態の一挿入方向における収納状態を示す側断面図、（ｃ）は同実施形態の他の挿入方向における収納状態を示す側断面図、（ｄ）は同実施形態の別の挿入方向における収納状態を示す側断面図
【図１０】（ａ）は本発明に適用できるカートリッジの一例の表平面図、（ｂ）は同カートリッジの裏平面図
【図１１】同カートリッジの斜視図
【図１２】従来のカートリッジの一例を示す平面図
【符号の説明】
【００３２】
１００  外ハーフ
１０１  外ハーフ主面
１０２  外ハーフ側壁
１０３  外ハーフ側壁リブ
１０４  外ハーフ主面側端面
１０５  外ハーフ上部摺動面
１０６  外ハーフ庇部
１０７  後突起部
１０８  間隙部
１０９  開口部
１１０  外ハーフ主面リブ
１１１  傾斜突起部
１１２  摺動停止部
１１３  第２の外ハーフ主面リブ
１１４  第３の外ハーフ主面リブ
１１５  扉係止凹部
１１６  外ハーフ上部摺動面
１１７  切取部
１１８  第２の外ハーフ側壁リブ
１１９  扉係合凹部
２００  内ハーフ
２０１  内ハーフ主面
２０２  内ハーフ庇部
２０３  内ハーフ側壁
２０４  内ハーフ低側壁部
２０５  内ハーフ側壁リブ
２０６  内ハーフ側壁平坦部
２０７  内ハーフ上部摺動面
２０８  内ハーフ後壁
２０９  扉部
２１０  扉凸壁
２１１  仕切線
２１２  扉凹壁
２１３  回動軸
２１４  ヒンジ部
２１５  扉側壁
２１６  斜辺
２１７  内ハーフ庇リブ
２１８  摺動付勢部
２１９  バネ部
２２０  扉係止凸部
２２１  扉突起部
２２２  内ハーフ主面リブ
２２３  内ハーフ主面突起部
２２４  扉側壁突起部
【図１】
2005119669.tif 000003
【図２】
2005119669.tif 000004
【図３】
2005119669.tif 000005
【図４】
2005119669.tif 000006
【図５】
2005119669.tif 000007
【図６】
2005119669.tif 000008
【図７】
2005119669.tif 000009
【図８】
2005119669.tif 000010
【図９】
2005119669.tif 000011
【図１０】
2005119669.tif 000012
【図１１】
2005119669.tif 000013
【図１２】
2005119669.tif 000014